【手続補正書】
【提出日】平成23年6月24日(2011.6.24)
【手続補正１】
【補正対象書類名】明細書
【補正対象項目名】０００６
【補正方法】変更
【補正の内容】
【０００６】
本発明においては、連結柱の周方向中心から周方向両側に略９０度の角度をおいてプルリングに一対の屈曲部を配設すると共に、屈曲部の片側においては屈曲部から連結柱の直径方向反対側まで屈曲部から遠ざかるに従って漸次上方に傾斜して延びており、屈曲部の他側においては屈曲部から連結柱まで水平に延びるように構成し、プルリングの他の部分に邪魔されることなくプルリングの最も高い部位に容易に指を掛けることができるようになすと共に、プルリングに掛けた指を引っ張るとプルリングの屈曲部が伸張されてプルリングが拡張されプルリングに対する指の挿入が促進されるようになすことによって、上記技術的課題を達成する。
【手続補正２】
【補正対象書類名】明細書
【補正対象項目名】０００７
【補正方法】変更
【補正の内容】
【０００７】
即ち、本発明によれば、上記技術的課題を達成する合成樹脂製容器蓋として、破断可能ラインによって切取領域が規定されている底壁と、該切取領域から上方に延びる連結柱と、該連結柱を介して該切取領域に連結されたプルリングとを備えた合成樹脂製容器蓋において、
該プルリングには該連結柱の周方向中心から周方向両側に略９０度の角度をおいて配置された一対の屈曲部が配設されており、該プルリングは該屈曲部の片側においては該屈曲部から該連結柱の直径方向反対側まで該屈曲部から遠ざかるに従って漸次上方に傾斜して延びており、該屈曲部の他側においては該屈曲部から該連結柱まで水平に延びている、ことを特徴とする合成樹脂製容器蓋が提供される。
【手続補正３】
【補正対象書類名】明細書
【補正対象項目名】０００８
【補正方法】変更
【補正の内容】
【０００８】
好適実施形態においては、該連結柱は周方向に隣接せしめて２個配設されており、該プルリングは該連結柱の一方から該連結柱の他方まで平面図において略円形状に延びている。好ましくは、該連結柱は単一下部と二股に分岐せしめられている上部とを有し、該プルリングが該連結柱の二股に分岐せしめられた該上部の一方から他方まで平面図において略円形状に延びている。他の好適実施形態においては、円形底壁と、該底壁の周縁から上方に延びる円筒形側壁と、該側壁の上端から半径方向外方に延出する環状フランジ壁と、該側壁の内面に連結されているプルリングとを備えた合成樹脂製容器蓋において、該プルリングには該プルリングと該側壁との連結部の周方向中心から周方向両側に略９０度の角度をおいて配置された一対の屈曲部が配設されており、該プルリングは該屈曲部の片側においては該屈曲部から該連結部の直径方向反対側まで該屈曲部から遠ざかるに従って漸次上方に傾斜して延びており、該屈曲部の他側においては該屈曲部から該連結部まで水平に延びる形態にせしめることができる。
【手続補正４】
【補正対象書類名】明細書
【補正対象項目名】００１６
【補正方法】変更
【補正の内容】
【００１６】
図１及び図２と共に図３を参照して説明をすると、上記連結柱２６は図１（即ち平面図）において略円弧状であり、上記プルリング２８は図１（即ち平面図）において略円形状に延在している。プルリング２８には、連結柱２６の周方向中心から周方向両側に略９０度の角度をおいて一対の屈曲部３０が配設されていると共に、屈曲部の片側においては屈曲部から連結柱の直径方向反対側まで屈曲部から遠ざかるに従って漸次上方に傾斜して延びる傾斜部３２が配設され、屈曲部の他側においては屈曲部から連結柱まで水平に延びる水平部３４が配設されていることが重要である。図示の実施形態においては、傾斜部３２は水平に対して略２０度の角度をなして傾斜している。プルリング２８における連結柱２６に対して直径方向反対側に位置する部位は、冠帽部６が容器蓋本体４の底壁８、連結柱２６及びプルリング２８を露呈せしめた状態においては、図２に実線で示す如く上記注出案内壁２０の上端より上方に位置する（プルリング２８における連結柱２６に対して直径方向反対側に位置する部位は、冠帽部６が図２に二点鎖線で示す閉位置に位置せしめた状態においては、冠帽部６によって図２に二点鎖線で示す位置に弾性的に変位せしめられている）。
【手続補正５】
【補正対象書類名】明細書
【補正対象項目名】００２０
【補正方法】変更
【補正の内容】
【００２０】
図４は本発明に従って構成された容器蓋の変形例の一部を図示している。この変形例においては、プルリング１２８を底壁１０８に連結するための連結柱１２６が、周方向に若干の間隔を置いて２個配設されており、プルリング１２８は連結柱１２６の一方の上端部から連結柱１２６の他方の上端部まで平面図において略円形状に延びている。そして、プルリング１２８に形成されている一対の屈曲部１３０の片側（連結柱１２６に対して直径方向反対側）には屈曲部１３０から離れるに従って漸次上方に傾斜して延びる傾斜部１３２が配設されており、一対の屈曲部１３０の他側には屈曲部１３０から連絡柱１２６まで水平に延びている水平部１２７が存在する。図４に図示する容器蓋のその他の構成は図１乃至図３に図示する容器蓋と同一でよい。
【手続補正６】
【補正対象書類名】明細書
【補正対象項目名】００２５
【補正方法】変更
【補正の内容】
【００２５】
図６は本発明に従って構成された容器蓋の他の実施形態を図示している。図示の実施形態においては、容器蓋３０２は円形底壁３０８と、底壁３０８の周縁から上方に延びる円筒形側壁３０９と、側壁３０９の上端から半径方向外方に延出する環状フランジ壁３１１とを有し、略円形状のプルリング３２８が側壁３０９の内面上端に連結されている。かかるプルリング３２８の一対の屈曲部３３０はプルリング３２８と側壁３０９との連結部３１３の周方向中心から周方向両側に略９０度の角度をおいて配置されており、プルリング３２８は屈曲部３３０の片側においては屈曲部３３０から連結部３１３の直径方向反対側まで屈曲部３３０から遠ざかるに従って漸次上方に傾斜して延びている傾斜部３３２が配設され、屈曲部３３０の他側においては屈曲部３３０から連結部３１３まで屈曲部３３０から水平に延びる水平部３３４が配設されている。傾斜部３３２は水平に対して略２０度の角度をなして傾斜している。
【手続補正７】
【補正対象書類名】明細書
【補正対象項目名】００２７
【補正方法】変更
【補正の内容】
【００２７】
２：容器蓋
８：底壁
２２：破断可能ライン
２４：切取領域
２６：連結柱
２８：プルリング
３０：屈曲部
３２：傾斜部
３４：水平部
１０８：底壁
１２６：連結柱
１２７：水平部
１２８：プルリング
１３０：屈曲部
１３２：傾斜部
２２６：連結柱
２２７：下部
２２８：プルリング
２２９：上部
３０２：容器蓋
３０８：底壁
３０９：側壁
３１１：フランジ壁
３１３：連結部
３２８：プルリング
３３０：屈曲部
３３２：傾斜部
３３４：水平部
【手続補正８】
【補正対象書類名】図面
【補正対象項目名】図２
【補正方法】変更
【補正の内容】
【図２】
2011143974.tif 000001
【手続補正９】
【補正対象書類名】図面
【補正対象項目名】図３
【補正方法】変更
【補正の内容】
【図３】
2011143974.tif 000002
【手続補正１０】
【補正対象書類名】図面
【補正対象項目名】図５
【補正方法】変更
【補正の内容】
【図５】
2011143974.tif 000003
【手続補正１１】
【補正対象書類名】図面
【補正対象項目名】図６
【補正方法】変更
【補正の内容】
【図６】
2011143974.tif 000004